(57)【要約】【課題】接点部分に対する優れた防塵機能を確保できると共に、粘着シートを比較的小さな形状寸法に設定できるスイッチ装置及びスイッチ装置用部品の提供。【解決手段】本発明に係るスイッチ装置の一実施形態は、固定接点７，８を有するプリント基板６に、固定接点８に接離可能なドーム状可動接点３を設けたカバーシート１及びスペーサシート２から成る粘着シートを貼り付けると共に、スペーサシート２に、ドーム状可動接点３の中心部から離れる方向に延設される非粘着部２ｂ〜２ｅを設け、プリント基板６の固定接点７，８が配置される面部と、粘着シートを構成するカバーシート１及びスペーサシート２の非粘着部２ｂ〜２ｅとの間に、ドーム状可動接点３の周囲に形成される第１空気逃げ部９に連通する第２空気逃げ部１０を形成してある。【選択図】図４
2006139952.tif 000002
【特許請求の範囲】
【請求項１】
固定接点を有するスイッチ基板に、上記固定接点に接離可能な接点板を設けた粘着シートを貼り付けて成るスイッチ装置であって、
上記粘着シートに、上記接点板の中心部から離れる方向に延設され、粘着剤が塗布されない非粘着部を設け、
上記スイッチ基板の上記固定接点が配置される面部と、上記粘着シートの上記非粘着部との間に、上記接点板に連通する空気逃げ部を形成したことを特徴とするスイッチ装置。
【請求項２】
上記請求項１記載のスイッチ装置において、
上記粘着シートを、少なくとも１組の互いに交差する方向に延びるニ辺を有する形状に形成すると共に、上記二辺で挟まれた隅部に上記非粘着部を設けたことを特徴とするスイッチ装置。
【請求項３】
上記請求項２記載のスイッチ装置において、
上記粘着シートを略矩形形状に形成し、上記非粘着部を複数の隅部のそれぞれに設けたことを特徴とするスイッチ装置。
【請求項４】
上記請求項３記載のスイッチ装置において、
上記非粘着部を、上記接点板を挟んで対向する少なくとも一対の隅部のそれぞれに設けたことを特徴とするスイッチ装置。
【請求項５】
上記請求項１〜４のいずれか１項記載のスイッチ装置において、
上記粘着シートが、上記スイッチ基板に備えられる固定接点を含む接点部分を覆うカバーシートと、このカバーシートに接着されるスペーサシートとから成り、
上記スペーサシートが、上記接点板が収容される収容部と、この収容部に連通して形成される上記非粘着部とを備えたことを特徴とするスイッチ装置。
【請求項６】
上記請求項１〜４のいずれか１項記載のスイッチ装置において、
上記粘着シートが、上記スイッチ基板に備えられる固定接点を含む接点部分を覆うカバーシートから成り、このカバーシートに上記非粘着部を設けたことを特徴とするスイッチ装置。
【請求項７】
固定接点を有するスイッチ装置のスイッチ基板に接触可能な接点板を有し、上記スイッチ基板に貼り付けられる粘着シートを備え、
この粘着シートに、上記接点板に連通すると共に、上記接点板の中心部から離れる方向に延設され、粘着剤が塗布されない非粘着部を設けたことを特徴とするスイッチ装置用部品。
【請求項８】
上記請求項７記載のスイッチ装置用部品において、
上記粘着シートに接着されるハクリシートを備えたことを特徴とするスイッチ装置用部品。
【請求項９】
上記請求項７記載のスイッチ装置用部品において、
上記粘着シートを、少なくとも１組の互いに交差する方向に延びる二辺を有する形状に形成すると共に、上記二辺で挟まれた隅部に上記非粘着部を設けたことを特徴とするスイッチ装置用部品。
【請求項１０】
上記請求９記載のスイツチ装置用部品において、
上記粘着シートを略矩形形状に形成し、上記非粘着部を複数の隅部のそれぞれに設けたことを特徴とするスイッチ装置用部品。
【請求項１１】
上記請求項１０記載のスイッチ装置用部品において、
上記非粘着部を、上記接点板を挟んで対向する少なくとも一対の隅部のそれぞれに設けたことを特徴とするスイッチ装置用部品。
【請求項１２】
上記請求項７〜１１のいずれか１項記載のスイッチ装置用部品において、
上記粘着シートが、上記スイッチ装置に備えられる固定接点を含む接点部分を覆うカバーシートと、このカバーシートに接着されるスペーサシートとから成り、
上記スペーサシートが、上記接点板が収容される収容部と、この収容部に連通して形成される上記非粘着部とを備えたことを特徴とするスイッチ装置用部品。
【請求項１３】
上記請求項７〜１１のいずれか１項記載のスイッチ装置用部品において、
上記粘着シートが、上記スイッチ装置に備えられる固定接点を含む接点部分を覆うカバーシートから成り、このカバーシートに上記非粘着部を設けたことを特徴とするスイッチ装置用部品。
【発明の詳細な説明】
【技術分野】
【０００１】
本発明は、各種電子機器に備えられ、粘着シートに、押圧操作されるドーム状可動接点等の接点板を貼り付けて成るスイッチ装置、及びこのスイッチ装置の製作に際して用いられるスイッチ装置用部品に関する。
【背景技術】
【０００２】
この種の従来技術として特許文献１に示されるものがある。図５は、この特許文献１に示される従来のドーム接点スイッチ、すなわちスイッチ装置を示す分解斜視図である。
【０００３】
この図５に示す従来技術は、スイッチ基板すなわち基板１１上に、外側リング状固定接点１２と、内側リング状固定接点１３とが備えられている。これらの外側リング状固定接点１２には突出部２１を設けてあり、この突出部２１には溝２３が形成されている。固定接点１２，１３の上方には、接点板すなわちドーム接点１４が配置され、このドーム接点１４の周縁部は常時、外側リング状固定接点１２に接触している。内側リング状固定接点１３には、このドーム接点１４の押圧操作によってドーム接点１４が接触可能になっている。また、このドーム接点１４は、基板１１に接着される粘着シートすなわち接着剤層１５を有するシート１６に接着されるようになっている。このシート１６には、上述した溝２３に対向する位置に空気抜け用穴１７が形成されている。
【０００４】
この従来技術は、ドーム接点１４が接着されているシート１６部分を押圧すると、ドーム接点１４が内側リング状固定接点１３に接触する。これにより、内側リング状固定接点１３と外側リング状固定接点１２とが、ドーム接点１４を介して導通しスイッチオンとなる。ドーム接点１４に加えられていた押圧力が除去されると、ドーム接点１４が内側リング状固定接点１３から離れ、内側リング状固定接点１３と外側リング状固定接点１２間は遮断されスイッチオフとなる。
【０００５】
上述の動作の間、ドーム接点１４の押圧に伴うドーム接点１４の下方部分の空気は、ドーム接点１４と外側リング状固定接点１２との間に形成される隙間から、溝２３へと流れ、さらにシート１６の空気抜け用穴１７から外部へと逃がされる。逆に、ドーム接点１４の押圧解除操作に伴って、外部の空気が、シート１６の空気抜け用穴１７から流入し、溝２３、及びドーム接点１４と外側リング状固定接点１２との間に形成される隙間から、ドーム接点１４の下方部分へと導かれる。このような空気の流出入によって、ドーム接点１４の円滑な操作を実現できる。
【特許文献１】特開２０００−１４９７０７公報
【発明の開示】
【発明が解決しようとする課題】
【０００６】
ところで、上述した従来技術では、シート１６に外部と内部を連通させる空気抜け用穴１７を形成してあることから、ドーム接点１４の押圧解除操作に伴って、外部のゴミやガス等の塵埃が接点部分に侵入し、これらの接点部分に腐蝕を生じる懸念があり、耐久性の点で問題がある。
【０００７】
このような問題を解決するために、例えば図６に示すように、上述したドーム接点１４等の接点板が貼り付けられる粘着シート３０の裏面３３において、接点板が接着される接着部３１の周囲に、粘着剤が塗布されない環状の非粘着部３２を形成することが考えられる。
【０００８】
このように構成したものでは、接点板の押圧操作、及び押圧解除操作に伴う接点板の下方部分の空気の流出入は、粘着シート３０の非粘着部３２とスイッチ基板の固定接点が配置される面部との間に形成される空気逃げ部を介して行なわれるので、接点板の円滑な操作を実現できる。また、粘着シート３０と、この粘着シート３０が貼り付けられるスイッチ基板とによって密閉構造が形成されるので、外部から塵埃が侵入する虞のない優れた防塵機能を確保できる。
【０００９】
しかしながら、図６に示すように粘着シート３０を構成したものでは、接点板の押圧操作、及び押圧解除操作に伴う空気の流出入を許容させるために、環状の非粘着部３２の径方向の幅寸法を比較的大きく設定しなければならない。したがって、非粘着部３２の外径が大きくなり、スイッチ基板に接着させるための十分な接着代、すなわち粘着剤の塗布領域を確保するように粘着シート３０を形成すると、この粘着シート３０の形状寸法が大きくなり、結局、装置の大型化を招いてしまう。
【００１０】
本発明は、上述した従来技術における実状からなされたもので、その目的は、接点部分に対する優れた防塵機能を確保できると共に、粘着シートを比較的小さな形状寸法に設定できるスイッチ装置及びスイッチ装置用部品を提供することにある。
【課題を解決するための手段】
【００１１】
上記目的を達成するために、本発明のスイッチ装置は、固定接点を有するスイッチ基板に、上記固定接点に接離可能な接点板を設けた粘着シートを貼り付けて成るスイッチ装置であって、上記粘着シートに、上記接点板の中心部から離れる方向に延設され、粘着剤が塗布されない非粘着部を設け、上記スイッチ基板の上記固定接点が配置される面部と、上記粘着シートの上記非粘着部との間に、上記接点板に連通する空気逃げ部を形成したことを特徴としている。
【００１２】
このように構成した本発明は、接点板が貼り付けられている粘着シートの部分を押圧すると、接点板がスイッチ基板の固定接点に接触してスイッチオンとなる。また、接点板に加えられていた押圧力を除去すると、接点板が固定接点から離れてスイッチオフとなる。
【００１３】
このような接点板の押圧操作、及び押圧解除操作の間、接点板の下方部分の空気は、粘着シートの非粘着部と、スイッチ基板の固定接点が配置される面部とによって形成され、接点板に連通する空気逃げ部に流出入する。これにより、接点板の円滑な操作を実現できる。また、接点部分は密閉構造となるので、この接点部分に対する優れた防塵機能を確保できる。
【００１４】
そして特に、粘着シートに、接点板の中心部から離れる方向に延設される非粘着部を設けたことから、粘着シートの形状に伴って形成されるデッドスペースを、非粘着部を形成する領域として活用できる。したがって、非粘着部と接点板とを連通させるために接点板の周囲に形成される非粘着部の形状寸法を小さくすることができる。これにより、粘着シートを比較的小さな形状寸法に設定することができる。
【００１５】
また、本発明のスイッチ装置は、上記スイッチ装置において、上記粘着シートを、少なくとも１組の互いに交差する方向に延びるニ辺を有する形状に形成すると共に、上記二辺で挟まれた隅部に上記非粘着部を設けたことを特徴としている。
【００１６】
このように構成した本発明は、デッドスペースを形成する二辺で挟まれた隅部を、非粘着部の形成領域として活用でき、粘着シートの形状寸法を小さくすることに貢献する。
【００１７】
また、本発明のスイッチ装置は、上記スイッチ装置において、上記粘着シートを略矩形形状に形成し、上記非粘着部を複数の隅部のそれぞれに設けたことを特徴としている。
【００１８】
このように構成した本発明は、粘着シートの４つの隅部のうちの複数の隅部を、非粘着部の形成領域として活用できる。また、空気逃げ部が、複数の非粘着部の部分に分散されるので、粘着シートの形状寸法をより小さくすることができる。
【００１９】
また、本発明のスイッチ装置は、上記スイッチ装置において、上記非粘着部を、上記接点板を挟んで対向する少なくとも一対の隅部のそれぞれに設けたことを特徴としている。
【００２０】
このように構成した本発明は、対向する少なくとも一対の隅部のそれぞれに設けられる非粘着部の部分に、空気逃げ部が形成されるので、接点板の押圧操作、及び押圧解除操作に伴う空気逃げ部に対する空気の流出入量を、接点板を挟む両方向のそれぞれに対して均等にすることができ、より円滑な接点板の操作を実現できる。
【００２１】
また、本発明のスイッチ装置は、上記スイッチ装置において、上記粘着シートが、上記スイッチ基板に備えられる固定接点を含む接点部分を覆うカバーシートと、このカバーシートに接着されるスペーサシートとから成り、上記スペーサシートが、上記接点板が収容される収容部と、この収容部に連通して形成される上記非粘着部とを備えたことを特徴としている。
【００２２】
このように構成した本発明は、接点板がスペーサシートの収容部に収容されるので、接点板の押圧操作、及び押圧解除操作に際してカバーシートによって接点板の周縁が拘束されることがなく、良好な操作フィーリングが得られる。
【００２３】
また、本発明のスイッチ装置は、上記スイッチ装置において、上記粘着シートが、上記スイッチ基板に備えられる固定接点を含む接点部分を覆うカバーシートから成り、このカバーシートに上記非粘着部を設けたことを特徴としている。
【００２４】
このように構成した本発明は、カバーシートと、スイッチ基板とによって、接点板の円滑な操作を実現させる密閉構造を形成できるので、装置の薄型化を実現できる。
【００２５】
また、上記目的を達成するために、本発明のスイッチ装置用部品は、固定接点を有するスイッチ装置のスイッチ基板に接触可能な接点板を有し、上記スイッチ基板に貼り付けられる粘着シートを備え、この粘着シートに、上記接点板に連通すると共に、上記接点板の中心部から離れる方向に延設され、粘着剤が塗布されない非粘着部を設けたことを特徴としている。
【００２６】
このように構成した本発明は、粘着シートを、固定接点を有するスイッチ基板に貼り付けることにより、スイッチ基板の固定接点が配置される面部と粘着シートの非粘着部との間に、接点板に連通する空気逃げ部を形成することができる。このように、本発明をスイッチ基板に貼り付けた際には、接点板の押圧操作及び押圧解除操作に伴って、接点板の下方の空気を上述の空気逃げ部に流出入させることができる。すなわち、スイッチ基板に備えられる固定接点を含む接点部分は密閉状態となるので、この接点部分に対する優れた防塵機能の確保に貢献する。
【００２７】
そして特に、粘着シートに、接点板の中心部から離れる方向に延設される非粘着部を設けたことから、粘着シートの形状に伴って形成されるデッドスペースを、非粘着部を形成する領域として活用できる。したがって、非粘着部と接点板とを連通させるために接点板の周囲に形成される非粘着部の形状寸法を小さくすることができる。これにより、粘着シートを比較的小さな形状寸法に設定することができる。
【００２８】
また、本発明のスイッチ装置用部品は、上記スイッチ装置用部品において、上記粘着シートに接着されるハクリシートを備えたことを特徴としている。
【００２９】
このように構成した本発明は、粘着シートをスイッチ基板に貼り付ける際にハクリシートが剥がされる。したがって、粘着シートをスイッチ基板に貼り付けるまでの間は、ハクリシートが粘着シートに対する保護部材として機能する。また、取扱いの利便性を確保できる。
【００３０】
また、本発明のスイッチ装置用部品は、上記スイッチ装置用部品において、上記粘着シートを、少なくとも１組の互いに交差する方向に延びる二辺を有する形状に形成すると共に、上記二辺で挟まれた隅部に上記非粘着部を設けたことを特徴としている。
【００３１】
このように構成した本発明は、デッドスペースを形成する二辺で挟まれた隅部を、非粘着部の形成領域として活用でき、粘着シートの形状寸法を小さくすることに貢献する。
【００３２】
また、本発明のスイッチ装置用部品は、上記スイッチ装置用部品において、上記粘着シートを略矩形形状に形成し、上記非粘着部を複数の隅部のそれぞれに設けたことを特徴としている。
【００３３】
このように構成した本発明は、粘着シートの４つの隅部のうちの複数の隅部を、非粘着部の形成領域として活用できる。また、粘着シートをスイッチ基板に貼り付けた際に形成される空気逃げ部が、複数の非粘着部の部分に分散配置されるので、粘着シートの形状寸法をより小さくすることができる。
【００３４】
また、本発明のスイッチ装置用部品は、上記スイッチ装置用部品において、上記非粘着部を、上記接点板を挟んで対向する少なくとも一対の隅部のそれぞれに設けたことを特徴としている。
【００３５】
このように構成した本発明は、粘着シートをスイッチ基板に貼りつけた際に、対向する少なくとも一対の隅部のそれぞれに設けられる非粘着部の部分に、空気逃げ部が形成されるので、接点板の押圧操作、及び押圧解除操作に伴う空気逃げ部に対する空気の流出入量を、接点板を挟む両方向のそれぞれに対して均等にすることができ、より円滑な接点板の操作を実現できる。
【００３６】
また、本発明のスイッチ装置用部品は、上記スイッチ装置用部品において、上記粘着シートが、上記スイッチ装置に備えられる固定接点を含む接点部分を覆うカバーシートと、このカバーシートに接着されるスペーサシートとから成り、上記スペーサシートが、上記接点板が収容される収容部と、この収容部に連通して形成される上記非粘着部とを備えたことを特徴としている。
【００３７】
このように構成した本発明は、接点板がスペーサシートの収容部に収容されるので、このスペーサシートとカバーシートとから成る粘着シートをスイッチ基板に貼り付けた際に、接点板の押圧操作、及び押圧解除操作に際してカバーシートによって接点板の周縁が拘束されることがなく、良好な操作フィーリングが得られる。
【００３８】
また、本発明のスイッチ装置用部品は、上記スイッチ装置用部品において、上記粘着シートが、上記スイッチ装置に備えられる固定接点を含む接点部分を覆うカバーシートから成り、このカバーシートに上記非粘着部を設けたことを特徴としている。
【００３９】
このように構成した本発明は、カバーシートをスイッチ基板に貼り付ける際に、カバーシートと、スイッチ基板とによって、接点板の円滑な操作を実現させる密閉構造を形成できるので、粘着シートが貼り付けられるスイッチ装置の薄型化を実現できる。
【発明の効果】
【００４０】
本発明のスイツチ装置は、粘着シートに、接点板の中心部から離れる方向に延設される非粘着部を設け、この非粘着部とスイッチ基板の固定接点が配置される面部との間に、接点板に連通する空気逃げ部を形成したことから、スイツチ基板の固定接点が含まれる接点部分に対する優れた防塵機能を確保できる。また特に、粘着シートのデッドスペースを空気逃げ部を作るための非粘着部の形成領域として活用できることから、粘着シートを比較的小さな形状寸法に設定できる。これにより、装置の小型化を実現させることができる。
【００４１】
また、本発明のスイッチ装置用部品は、粘着シートに、接点板に連通し、接点板の中心部から離れる方向に延設される非粘着部を設けたことから、この粘着シートを、固定接点を備えたスイッチ基板に貼り付けた際に、非粘着部とスイッチ基板の固定接点が配置される面部との間に、接点板が連通する空気逃げ部を形成させることができ、スイッチ基板の固定接点が含まれる接点部分に対する優れた防塵機能の確保に貢献する。また特に、粘着シートのデッドスペースを空気逃げ部を作るための非粘着部の形成領域として活用できることから、粘着シートを比較的小さな形状寸法に設定できる。これにより、粘着シートを貼り付けて製作されるスイッチ装置の小型化の実現に貢献する。
【発明を実施するための最良の形態】
【００４２】
以下，本発明に係るスイッチ装置及びスイッチ装置用部品を実施するための最良の形態を図に基づいて説明する。
【００４３】
図１は本発明に係るスイッチ装置の一実施形態の要部を構成するスイッチ装置用部品の一実施形態を示す分解斜視図、図２は本発明に係るスイッチ装置の一実施形態の要部を構成するスイッチ装置用部品の一実施形態から、ハクリシート及び保護シートを除去した状態を示す裏面図、図３は本発明に係るスイッチ装置の一実施形態の要部を構成するスイッチ装置用部品の一実施形態を示す縦断面図、図４は本発明に係るスイッチ装置の一実施形態を示す縦断面図である。
【００４４】
［本発明に係るスイッチ装置の一実施形態の基本構成］
はじめに、図４に基づいて本発明のスイッチ装置の一実施形態の基本構成について説明する。この図４に示すように、本実施形態は、スイッチ基板例えばプリント基板６上に、中央固定接点７と、この中央固定接点７を囲むように配置される周辺固定接点８とを備えている。
【００４５】
プリント基板６の上には、スペーサシート２が接着されており、このスペーサシート２の上にはカバーシート１が接着されている。カバーシート１の裏面１ａには、接点板、例えばドーム状可動接点３が貼り付けられている。ドーム状可動接点３の周縁部は常時、プリント基板６の周辺固定接点８に接触させてある。ドーム状可動接点３に対する押圧操作によって、このドーム状可動接点３が反転して中央固定接点７に接触し、ドーム状可動接点３に対する押圧解除操作によって、このドーム状可動接点３が中央固定接点７から離れるようになっている。
【００４６】
［本発明のスイッチ装置の一実施形態に備えられるスイッチ装置用部品の一実施形態の構成］
図１及び図３は、プリント基板６に接着される以前の本発明に係るスイッチ装置用部品の一実施形態を示しており、このスイッチ装置用部品の一実施形態には、上述したカバーシート１と、スペーサシート２と、ドーム状可動接点３の他に、ハクリシート４と、保護シート５とが含まれている。また、図２は、上述したスイッチ装置用部品の一実施形態において、ハリクシート４と保護シート５とが剥がされた状態が示されている。
【００４７】
図１，３に示すように、このスイッチ装置用部品の一実施形態は、最上部にドーム状可動接点３、中央固定接点７、及び周辺固定接点８を含む接点部分を覆うカバーシート１を配置してあり、このカバーシート１の裏面１ａの全面に粘着剤が塗布されている。このカバーシート１の裏面１ａにドーム状可動接点３が接着される。カバーシート１は、例えば略矩形形状に形成してある。
【００４８】
図１に示すように、カバーシート１の裏面１ａに接着されるスペーサシート２の外形は、カバーシート１と同じ形状寸法に設定してある。このスペーサシート２には、中央部にドーム状可動接点３が収容される円形の収容部２ａを形成してある。また、互いに交差する方向に延びるそれぞれの二辺間に形成される複数の隅部、例えば４つの隅部２Ｂ，２Ｃ，２Ｄ，２Ｅのそれぞれ該当する隅部に、収容部２ａに連通し、粘着剤が塗布されない非粘着部２ｂ，２ｃ，２ｄ，２ｅをそれぞれ形成してある。
【００４９】
非粘着部２ｂと非粘着部２ｄとは、カバーシート１に接着されたドーム状可動接点３を挟んで対向する一対の隅部２ｂ，２ｄのそれぞれに設けてあり、非粘着部２ｃと非粘着部２ｅとは、カバーシート１に接着されたドーム状可動接点３を挟んで対向する別の一対の隅部２Ｃ，２Ｅのそれぞれに設けてある。
【００５０】
４つの非粘着部２ｂ，２ｃ，２ｄ，２ｅのそれぞれは、ドーム状可動接点３に連通させてある。すなわち、これらの非粘着部２ｂ〜２ｅは、収容部２ａに収容されたドーム状可動接点３の中心部から離れる方向に放射状に延設され、例えば矩形形状に形成してある。
【００５１】
スペーサシート２の収容部２ａ及び非粘着部２ｂ〜２ｅは、例えば打ち抜き加工によって形成してある。また、これらの収容部２ａ及び非粘着部２ｂ〜２ｅを除くスペーサシート２の裏面２ｆの残りの面には、粘着剤が塗布されている。
【００５２】
この本発明に係るスイッチ装置用部品の一実施形態では、上述したカバーシート１、及びスペーサシート２によって、プリント基板６に貼り付けられる粘着シートが構成されている。
【００５３】
上述したスペーサシート２の裏面２ｆに接着され、カバーシート１及びスペーサシート２から成る粘着シートを、プリント基板６に接着する際に剥がされるハクリシート４は、例えばスペーサシート２と同じ形状寸法に形成してある。すなわち、このハクリシート４は、中央部分にドーム状可動接点３が収容される円形穴部４ａを有し、この円形穴部４ａはスペーサシート２の収容部２ａと同じ形状寸法に形成してある。また、ハクリシート４の４つの隅部４Ｂ〜４Ｅのそれぞれに、円形穴部４ａに連通し、この円形穴部４ａの中心から離れる方向に放射状に延設される空隙部４ｂ〜４ｅを有している。これらの空隙部４ｂ〜４ｅも、スペーサシート２の非粘着部２ｂ〜２ｅのそれぞれ対応するものと、同じ形状寸法に形成してある。
【００５４】
ハクリシート４の円形穴部４ａ及び空隙部４ｂ〜４ｅを除く裏面４ｆの残りの面には粘着剤が塗布されている。また、このハクリシート４の円形穴部４ａと空隙部４ｂ〜４ｅのそれぞれも、例えば打ち抜き加工によって形成されている。
【００５５】
図１，３に示すスイツチ装置用部品の一実施形態において、最下部に配置される保護シート５は、ハクリシート４の裏面４ｆに接着される。この保護シート５は、例えばカバーシート１と同じ形状寸法に形成してある。これらの保護シート５とハクリシート４とによって、ドーム状可動接点３が貼り付けられたカバーシート１及びスペーサシート２から成る粘着シートの保護が図られている。また、保護シート５及びハクリシート４を設けたことにより、取扱いの利便性を確保できる。
【００５６】
ドーム状可動接点３が貼り付けられたカバーシート１とスペーサシート２を図４に示すプリント基板６に接着するに際しては、図２に示すように保護シート５及びハクリシート４が剥がされ、カバーシート１に接着された状態にあるスペーサシート２の裏面２ｆが、プリント基板６の中央固定接点７及び周辺固定接点８が配置される面部に接着される。
【００５７】
このように、ドーム状可動接点３が貼り付けられたカバーシート１とスペーサシート２がプリント基板６に接着された状態では、図４に示すように、ドーム状可動接点３の全周縁付近に、カバーシート１と、プリント基板６の面部とによって形成される第１の空気逃げ部９が形成されている。また、この第１空気逃げ部９の外側に、この第１空気逃げ部９と連通し、カバーシート１と、スペーサシート２の非粘着部２ｂ〜２ｅと、プリント基板６とによって形成される第２空気逃げ部１０が形成されている。
【００５８】
［本発明に係るスイッチ装置の一実施形態の動作］
図４に示すように構成した本発明に係るスイッチ装置の一実施形態は、ドーム状可動接点３が貼り付けられるカバーシート１の部分が押圧されると、ドーム状可動接点３がプリント基板６の中央固定接点７に接触する。これにより、中央固定接点７と周辺固定接点８とが、ドーム状可動接点３を介して導通しスイッチオンとなる。ドーム状可動接点３に加えられていた押圧力が除去されると、ドーム状可動接点３が中央固定接点７から離れ、中央固定接点７と周辺固定接点８間は遮断されスイッチオフとなる。
【００５９】
上述の動作の間、ドーム状可動接点３の押圧に伴うドーム状可動接点３の下方部分の空気は、ドーム状可動接点３の周縁部と周辺固定接点８との間に形成される隙間から、第１空気逃げ部９に逃がされ、さらに第２空気逃げ部１０へと逃がされる。逆に、ドーム状可動接点３の押圧解除操作に伴って、第２空気逃げ部１０の空気が、第１空気逃げ部９を介してドーム状可動接点３の周縁部と周辺固定接点８との間に形成される隙間から、ドーム状可動接点３の下方部分へと導かれる。
【００６０】
［本発明に係るスイッチ装置の一実施形態の効果］
上述のように、本発明のスイッチ装置の一実施形態によれば、ドーム状可動接点３の押圧操作、及び押圧解除操作の間、ドーム状可動接点３の下方部分の空気は、第１空気逃げ部９及び第２空気逃げ部１０に流出入する。これにより、ドーム状可動接点３と、中央固定接点７及び周辺固定接点８とを含む接点部分は、カバーシート１に覆われた密閉構造となるので、この接点部分に対する優れた防塵機能を確保できる。
【００６１】
そして特に本発明のスイッチ装置の一実施形態は、粘着シートを構成するスペーサシート２に、可動接点３の中心部から離れる方向に延設される非粘着部２ｂ〜２ｅを設けたことから、このスペーサシート２のデッドスペースとなる４つの隅部２Ｂ〜２Ｅを、第２空気逃げ部１０を形成するための非粘着部２ｂ〜２ｅを設ける領域として活用できる。したがって、非粘着部２ｂ〜２ｅとドーム状可動接点３とを連通させるためにドーム状可動接点３の周縁部付近に形成される非粘着部、すなわち図４に示す第１空気逃げ部９の形状寸法を小さくすることができる。これにより、スペーサシート２及びカバーシート１から成る粘着シートを比較的小さな形状に設定できる。これに伴って装置の小型化を実現させることができる。
【００６２】
また、スペーサシート２に形成する非粘着部として、ドーム状可動接点３の周囲に４つの非粘着部２ｂ〜２ｅを形成したことから、第１空気逃げ部９を介して流出入する空気が、４つの第２空気逃げ部１０に分散されるので、これによってもスペーサシート２及びカバーシート１から成る粘着シートの形状寸法を小さくすることができる。
【００６３】
また、上述のようにスペーサシート２には、ドーム状可動接点２を挟むように一対の非
粘着部２ｂ，２ｄと、別の一対の非粘着部２ｃ，２ｅとを形成してあり、これらの一対の非粘着部２ｂ，２ｄ、あるいは別の一対の非粘着部２ｃ，２ｅのそれぞれの部分に第２空気逃げ部１０が形成されている。したがって、ドーム状可動接点３の押圧操作、及び押圧解除操作に伴う空気の流出入量を、ドーム状可動接点３を挟む一対の非粘着部２ｂ，２ｄ部分に形成される第２空気逃げ部１０間における両方向に対して、あるいは、ドーム状可動接点３を挟む一対の非粘着部２ｃ，２ｅ部分に形成される第２空気逃げ部１０間における両方向に対して、それぞれ均等にすることができる。これによっても、円滑なドーム状可動節点３の操作を実現できる。
【００６４】
また、ドーム状可動接点３がスペーサシート２の収容部２ａに収容されるので、ドーム状可動接点３の押圧操作、及び押圧解除操作に際して、カバーシート１によってドーム状可動接点３の周縁が拘束されることがなく、良好な操作フィーリングを得ることができる。
【００６５】
［本発明に係るスイッチ装置用部品の一実施形態の効果］
上述のように本発明のスイッチ装置用部品の一実施形態によれば、カバーシート１及びスペーサシート２ら成る粘着シートを、中央固定接点７及び周辺固定接点８を有するプリント基板に貼り付けることにより、プリント基板６の固定接点７，８が配置される面部と、スペーサシート２の非粘着部２ｂ〜２ｅとの間に、ドーム状可動接点３に連通する第２空気逃げ部１０を形成することができる。このように、粘着シートをプリント基板６に貼り付けた際には、ドーム状可動接点３の押圧操作、及び押圧解除操作に伴って、ドーム状可動接点３の下方の空気を上述の第２空気逃げ部１０に流出入させることができる。すなわち、ドーム状可動節点３の円滑な操作の実現に貢献する。また、プリント基板６に備えられる固定接点７，８を含む接点部分は密閉構造となるので、この接点部分に対する優れた防塵機能の確保に貢献する。
【００６６】
そして特に、本発明のスイッチ装置用部品の一実施形態は、上述したように、粘着シートを構成するスペーサシート２に、可動接点３の中心部から離れる方向に延設される非粘着部２ｂ〜２ｅを設けたことから、このスペーサシート２のデッドスペースとなる４つの隅部２Ｂ〜２Ｅを、第２空気逃げ部１０を形成するための非粘着部２ｂ〜２ｅを設ける領域として活用できる。したがって、非粘着部２ｂ〜２ｅとドーム状可動接点３とを連通させるためにドーム状可動接点３の周縁部付近に形成される非粘着部、すなわち図４に示す第１空気逃げ部９の形状寸法を小さくすることができる。これにより、スペーサシート２及びカバーシート１から成る粘着シートを比較的小さな形状に設定できる。これに伴って本発明のスイッチ装置用部品が備えられるスイッチ装置の小型化の実現に貢献する。
【００６７】
また、本発明のスイッチ装置用部品の一実施形態は、カバーシート１とスペーサシート２とから成る粘着シートをプリント基板６に貼り付ける際に、保護シート５及びハクリシート４が剥がされるようになっている。したがって、粘着シートをプリント基板６に貼り付けるまでの間、保護シート５及びハクリシート４が粘着シートの保護部材として機能する。また、これらの保護シート５及びハクリシート４によって取扱いの利便性を確保することができる。
【００６８】
また、粘着シートを構成するスペーサシート２の４つの隅部２Ｂ〜２Ｅを、非粘着部２ｂ〜２ｅの形成領域として活用できる。また、粘着シートをプリント基板６に貼り付けた際に形成される第２空気逃げ部１０が、４つの部分に分散されるので、粘着シートの形状寸法をより小さくすることができる。
【００６９】
また、カバーシート１とスペーサシート２とから成る粘着シートをプリント基板６に貼り付けた際に、ドーム状可動接点２を挟むように一対の非粘着部２ｂ，２ｄと、別の一対の非粘着部２ｃ，２ｅとが形成され、これらの一対の非粘着部２ｂ，２ｄ、あるいは別の一対の非粘着部２ｃ，２ｅのそれぞれの部分に第２空気逃げ部１０が形成される。したがって、上述したように、ドーム状可動接点３の押圧操作、及び押圧解除操作に伴う空気の流出入量を、ドーム状可動接点３を挟む一対の非粘着部２ｂ，２ｄ部分に形成される第２空気逃げ部１０間における両方向に対して、あるいは、ドーム状可動接点３を挟む一対の非粘着部２ｃ，２ｅ部分に形成される第２空気逃げ部１０間における両方向に対して、それぞれ均等にすることができる。これによっても、円滑なドーム状可動節点３の操作を実現できる。
【００７０】
また、カバーシート１とスペーサシート２から成る粘着シートをプリント基板６に貼り付けた際に、ドーム状可動節点３の押圧操作、及び押圧解除操作に際して、カバーシート１によってドーム状可動接点３の周縁が拘束されることがなく、良好な操作フィーリングを得ることができる。
【００７１】
［その他の実施形態］
上記した本発明のスイッチ装置の一実施形態、及びスイッチ装置用部品の一実施形態では、カバーシート１とプリント基板６との間にスペーサシート２を設けた構成にしてあるが、スペーサシート２を省略して、カバーシート１に非粘着部を設けた構成にしてもよい。この構成にあっては、カバーシート１の非粘着部とプリント基板６とによって形成される空間部がドーム状可動接点３の操作に伴う空気逃げ部となる。このように構成したものでは、特に、スイッチ装置用部品の粘着シートが貼り付けられるスイッチ装置の薄型化を実現できる。
【００７２】
また、上記した本発明のスイッチ装置の一実施形態、及びスイッチ装置用部品の一実施形態では、カバーシート１とスペーサ２とによって構成される粘着シートの形状を矩形形状に設定してあるが、本発明は、このように矩形形状に設定することには限られない。略矩形形状になるように設定してもよい。また例えば、互いに交差する方向に延びる二辺を１組だけ、あるいは３組以上備えた形状であってもよく、そのような場合でも、二辺間に形成される隅部である粘着シートの部分に非粘着部を設け、これによって空気逃げ部を形成する構成とすればよい。
【００７３】
また、上記した本発明のスイッチ装置の一実施形態、及びスイッチ装置用部品の一実施形態では、矩形形状のスペーサシート２の４つの隅部２Ｂ〜２Ｅの全てに非粘着部２ｂ〜２ｅを設け、これにより４つの第２空気逃げ部１０を形成してあるが、本発明は、このように構成することには限られない。すなわち、２つまたは３つの隅部だけに、あるいは単に１つの隅部だけに第２空気逃げ部１０を形成するための非粘着部を設ける構成にしてもよい。
【００７４】
また、上記した本発明のスイッチ装置の一実施形態、及びスイッチ装置用部品の一実施形態では、スペーサシート２に、ドーム状可動接点３を挟むように配置される一対の非粘着部２ｂ，２ｄ、別の一対の非粘着部２ｃ，２ｅを設けた構成にしてあるが、本発明は、このように二対の非粘着部を設ける構成には限られない。すなわち、三対以上の非粘着部を設けてもよく、また、単に一対のみの非粘着部を設ける構成にしてもよい。
【図面の簡単な説明】
【００７５】
【図１】本発明に係るスイッチ装置の一実施形態の要部を構成するスイッチ装置用部品の一実施形態を示す分解斜視図である。
【図２】本発明に係るスイッチ装置の一実施形態の要部を構成するスイッチ装置用部品の一実施形態から、ハクリシート及び保護シートを除去した状態を示す裏面図である。
【図３】本発明に係るスイッチ装置の一実施形態の要部を構成するスイッチ装置用部品の一実施形態を示す縦断面図である。
【図４】本発明に係るスイッチ装置の一実施形態を示す縦断面図である。
【図５】従来のスイッチ装置を示す分解斜視図である。
【図６】従来技術の実状から考えられる粘着シートの構成を示す図である。
【符号の説明】
【００７６】
１    カバーシート（粘着シート）
１ａ  裏面
２    スペーサシート（粘着シート）
２ａ  収容部
２Ｂ  隅部
２ｂ  非粘着部
２Ｃ  隅部
２ｃ  非粘着部
２Ｄ  隅部
２ｄ  非粘着部
２Ｅ  隅部
２ｅ  非粘着部
２ｆ  裏面
３    ドーム状可動接点（接点板）
４    ハクリシート
４ａ  円形穴部
４Ｂ  隅部
４ｂ  空隙部
４Ｃ  隅部
４ｃ  空隙部
４Ｄ  隅部
４ｄ  空隙部
４Ｅ  隅部
４ｅ  空隙部
４ｆ  裏面
５    保護シート
６    プリント基板（スイッチ基板）
７    中央固定接点
８    周辺固定接点
９    第１空気逃げ部
１０  第２空気逃げ部
【図１】
2006139952.tif 000003
【図２】
2006139952.tif 000004
【図３】
2006139952.tif 000005
【図４】
2006139952.tif 000006
【図５】
2006139952.tif 000007
【図６】
2006139952.tif 000008